(57)【要約】【課題】使用者が乳幼児を密着して支持することができ、かつ、乳幼児の乗り降りを容易に行うことができる子守帯を提供する。【解決手段】子守帯１０は、使用者１が乳幼児５を座らせた状態で支持するために用いられる。子守帯は、環状に形成された子守帯本体２０と、子守帯本体２０に設けられた調整機構５０と、を備える。子守帯本体２０は、使用者の肩に掛けられる支持部２１と、乳幼児５を保持する保持部２２と、支持部および保持部をそれぞれ両側から連結する一対の連結部２３ａ，２３ｂと、を有する。調整機構５０によって、周方向に沿った保持部の長さは、幅方向における一方の縁部２０ａ近傍から中央部までの間に渡って、調整され得る。【選択図】図２
2008220667.tif 000002
【特許請求の範囲】
【請求項１】
使用者が乳幼児を座らせた状態で支持するために用いられる子守帯であって、
使用者の肩に掛けられるようになる支持部と、乳幼児が保持されるようになる保持部と、前記支持部および前記保持部を両側から連結する一対の連結部と、を有し、環状に形成された子守帯本体と、
前記子守帯本体の周方向に沿った前記保持部の長さを、前記子守帯本体の幅方向における少なくとも一方の縁部近傍から中央部までの間に渡って、調整する調整機構と、を備える
ことを特徴とする子守帯。
【請求項２】
前記子守帯本体の幅方向における一方の縁部は、使用者に装着された際に上方に配置される側の幅方向縁部である
ことを特徴とする請求項１に記載の子守帯。
【請求項３】
前記子守帯本体はシート状材料からなり、
前記調整機構は、周方向に前記保持部の沿った長さが前記保持部をなすシート状材料自身の周方向に沿った長さよりも短くなる状態に前記保持部を保つ
ことを特徴とする請求項１または２に記載の子守帯。
【請求項４】
前記子守帯本体はシート状材料からなり、
前記調整機構は、乳幼児に対面しない側の前記子守帯本体の面に設けられている
ことを特徴とする請求項１乃至３のいずれか一項に記載の子守帯。
【請求項５】
前記調整機構は、
幅方向において互いに異なる位置に配置された複数の掛け具であって、前記保持部に取り付けられた第１群の掛け具と、
幅方向において互いに異なる位置に配置された複数の掛け具であって、第１群の掛け具から周方向にずれた位置において前記保持部に取り付けられた第２群の掛け具と、
前記第１群の掛け具と前記第２群の掛け具との間に掛け渡された紐と、を有する
ことを特徴とする請求項１乃至４のいずれか一項に記載の子守帯。
【請求項６】
前記紐は、幅方向に沿い前記一方の縁部に向けて、第１群に含まれる掛け具および第２群に含まれる掛け具へ交互に掛けられている
ことを特徴とする請求項５に記載の子守帯。
【請求項７】
前記調整機構は、幅方向に対して直交または傾斜して延び、両端が前記保持部に取り付けられた複数の紐状部材を有し、
前記複数の紐状部材は幅方向における互いに異なる位置に配置され、
各紐状部材の両端間の長さは可変である
ことを特徴とする請求項１乃至４のいずれか一項に記載の子守帯。
【請求項８】
前記調整機構は、周方向に対して直交または傾斜して延びる第１係合具と、周方向に対して直交または傾斜して延び前記第１係合具と係合可能な第２係合具と、を有し、
前記第１係合具および前記第２係合具は、互いから周方向にずれた位置において、それぞれ前記保持部に取り付けられている
ことを特徴とする請求項１乃至４のいずれか一項に記載の子守帯。
【請求項９】
前記第１係合具が取り付けられた位置から前記第２係合具が取り付けられた位置までの周方向に沿った前記保持部上における長さは、幅方向に沿い前記一方の縁部に向けて、長くなっていく
ことを特徴とする請求項８に記載の子守帯。
【請求項１０】
前記調整機構は、前記第１係合具および前記第２係合具のいずれか一方に摺動可能に取り付けられ、前記第１係合具および前記第２係合具に対して摺動することによって前記第１係合具と前記第２係合具とを係合させる又は前記第１係合具と前記第２係合具との係合を解除する留具をさらに有する
ことを特徴とする請求項８または９に記載の子守帯。
【請求項１１】
前記調整機構は、
幅方向における互いに異なる位置において前記保持部に取り付けられた複数の係合具と、
前記複数の係合具のそれぞれに対応して設けられ、各々が対応する各係合具と係合可能な複数の受け具と、を有し、
各受け具は、幅方向における互いに異なる位置において前記保持部に取り付けられ、
前記係合具および前記受け具は互いから周方向にずれて前記保持部上に配置されている
ことを特徴とする請求項１乃至４のいずれか一項に記載の子守帯。
【請求項１２】
前記係合具が取り付けられた位置から当該係合具に対応する受け具が取り付けられた位置までの前記保持部上における長さは、幅方向に沿い前記一方の縁部に向けて、長くなっていく
ことを特徴とする請求項１１に記載の子守帯。
【請求項１３】
前記調整機構は、
幅方向における互いに異なる位置において前記保持部に取り付けられた複数の係合具と、
前記複数の係合具のそれぞれに対応して設けられ、各々が対応する前記係合具と係合可能な複数の受け具であって、各々が幅方向における互いに異なる位置において前記保持部に取り付けられた第１群の受け具と、
前記複数の係合具のそれぞれに対応して設けられ、各々が対応する前記係合具と係合可能な複数の受け具であって、各々が幅方向における互いに異なる位置において前記保持部に取り付けられた第２群の受け具と、を有し、
前記係合具は、前記第１群の受け具および前記第２群の受け具から周方向にずれて前記保持部上に配置され、
前記第１群の受け具は、前記第２群の受け具から周方向にずれて前記保持部上に配置されている
ことを特徴とする請求項１乃至４のいずれか一項に記載の子守帯。
【請求項１４】
環状の前記子守帯本体は無端のシート状材料からなる
ことを特徴とする請求項１乃至１３のいずれか一項に記載の子守帯。
【請求項１５】
前記子守帯本体の幅は、前記支持部から前記連結部を経由して前記保持部に向かうに連れて、連続的に広くなっていく
ことを特徴とする請求項１乃至１４のいずれか一項に記載の子守帯。
【請求項１６】
環状の前記子守帯本体は、使用者の一方の側の肩に掛けられるとともに、使用者の他方の側の脇の下を通過するようにして、使用者に装着される
ことを特徴とする請求項１乃至１５のいずれか一項に記載の子守帯。
【発明の詳細な説明】
【技術分野】
【０００１】
本発明は、使用者が乳幼児を座らせた状態で支持するために用いられる子守帯に係り、とりわけ、使用者が乳幼児を密着して支持することができ、かつ、乳幼児の乗り降りを容易に行うことができる子守帯に関する。
【背景技術】
【０００２】
従来、使用者（保護者等）が乳幼児を支持するために用いられる子守帯が既知である。子守帯は、ベビースリング、ベビーキャリア、抱っこ紐と呼ばれることもある。昨今では、環状に形成されたシート状材料からなる子守帯（例えば、特許文献１）が広く使用されるに至っている。このタイプの子守帯は、使用者の左右のうちの一方の側の肩に掛けられるとともに、使用者の左右のうちの他方の側の脇の下を通過するようにして、使用者に装着される。そして、乳幼児は、使用者と向き合うようにしてシート状材料上に座った状態、あるいは、シート状材料内に寝た状態で収容される。
【０００３】
ところで、子守帯の周方向長さは、使用者による子守帯の装着、並びに、乳幼児の子守帯への乗り降りをも考慮して決定される。したがって、子守帯のシート状材料上に乳幼児を座らせて支持した場合、使用者と乳幼児との間には隙間が生じる。また、子守帯のシート状材料上に乳幼児を座らせて支持した場合、乳幼児は使用者から離れる傾向にある。
【特許文献１】実開平７−１４９２１号公報
【発明の開示】
【発明が解決しようとする課題】
【０００４】
しかしながら、使用者と乳幼児とが密着していない場合、子守帯を介して乳幼児を支持する使用者の負担は増大する。また、シート状材料上で乳幼児が反り返ると、乳幼児が子守帯から背中側に落下してしまう虞がある。さらに、支持される乳幼児への負担を考慮すると、乳幼児の臀部および背部を包み込んで面で支持することが好ましい。
【０００５】
上述した特許文献１に開示された子守帯においては、子守帯の幅方向両縁部に補強された補強部をそれぞれ設け、一対の補強部の間で乳幼児を安定して支持しようとしている。しかしながら、特許文献１の子守帯において、使用者と乳幼児とが密着するような工夫は施されていない。また、特許文献１の子守帯において、乳幼児は、一対の補強部から大きな支持力を局所的に受けて支持され、補強部間に配置された包み布上に面で支持されることはない。
【０００６】
本発明はこのような点を考慮してなされたものであり、使用者が乳幼児を密着して支持することができ、かつ、乳幼児の乗り降りを容易に行うことができる子守帯を提供することを目的とする。また、本発明による子守帯において、乳幼児の臀部および背部を包み込んで面で支持することが可能であれば、さらに好ましい。
【課題を解決するための手段】
【０００７】
本発明による子守帯は、使用者が乳幼児を座らせた状態で支持するために用いられる子守帯であって、使用者の肩に掛けられるようになる支持部と、乳幼児が保持されるようになる保持部と、前記支持部および前記保持部を両側から連結する一対の連結部と、を有し、環状に形成された子守帯本体と、前記子守帯本体の周方向に沿った前記保持部の長さを、前記子守帯本体の幅方向における少なくとも一方の縁部近傍から中央部までの間に渡って、調整する調整機構と、を備えることを特徴とする。
【０００８】
本発明による子守帯によれば、乳幼児を子守帯本体に乗せた後および乳幼児を子守帯本体から降ろした後に、周方向に沿った保持部の長さを、子守帯本体の幅方向における少なくとも一方の縁部近傍から中央部までの間に渡って、調整することができる。したがって、使用者は、乳幼児を子守帯本体に容易に乗せることができるとともに、乳幼児を子守帯本体から容易に降ろすことができる。また、使用者は、子守帯を介し、乳幼児を密着した状態で支持することができるようになる。このため、乳幼児を支持する使用者への負担を軽減することができる。さらに、乳幼児の臀部および背部を包み込んで面で支持することができる。
【０００９】
本発明による子守帯において、前記子守帯本体の幅方向における一方の縁部は、使用者に装着された際に上方に配置される側の幅方向縁部であるようにしてもよい。
【００１０】
また、本発明による子守帯において、前記子守帯本体はシート状材料からなり、前記調整機構は、周方向に前記保持部の沿った長さが前記保持部をなすシート状材料自身の周方向に沿った長さよりも短くなる状態に前記保持部を保つようにしてもよい。
【００１１】
さらに、本発明による子守帯において、前記子守帯本体はシート状材料からなり、前記調整機構は、乳幼児に対面しない側の前記子守帯本体の面に設けられているようにしてもよい。
【００１２】
さらに、本発明による子守帯において、前記調整機構は、幅方向において互いに異なる位置に配置された複数の掛け具であって、前記保持部に取り付けられた第１群の掛け具と、幅方向において互いに異なる位置に配置された複数の掛け具であって、第１群の掛け具から周方向にずれた位置において前記保持部に取り付けられた第２群の掛け具と、前記第１群の掛け具と前記第２群の掛け具との間に掛け渡された紐と、を有するようにしてもよい。このような子守帯本体において、前記紐は、幅方向に沿い前記一方の縁部に向けて、第１群に含まれる掛け具および第２群に含まれる掛け具へ交互に掛けられているようにしてもよい。すなわち、紐が、いわゆる編み上げ靴における紐のように掛け具間を掛け渡されるようにしてもよい。
【００１３】
あるいは、本発明による子守帯において、前記調整機構は、幅方向に対して直交または傾斜して延び、両端が前記保持部に取り付けられた複数の紐状部材を有し、前記複数の紐状部材は幅方向における互いに異なる位置に配置され、各紐状部材の両端間の長さは可変であるようにしてもよい。
【００１４】
あるいは、本発明による子守帯において、前記調整機構は、周方向に対して直交または傾斜して延びる第１係合具と、周方向に対して直交または傾斜して延び前記第１係合具と係合可能な第２係合具と、を有し、前記第１係合具および前記第２係合具は、互いから周方向にずれた位置において、それぞれ前記保持部に取り付けられているようにしてもよい。このような子守帯において、前記第１係合具が取り付けられた位置から前記第２係合具が取り付けられた位置までの周方向に沿った前記保持部上における長さは、幅方向に沿い前記一方の縁部に向けて、長くなっていくようにしてもよい。また、このような子守帯において、前記調整機構は、前記第１係合具および前記第２係合具のいずれか一方に摺動可能に取り付けられ、前記第１係合具および前記第２係合具に対して摺動することによって前記第１係合具と前記第２係合具とを係合させる又は前記第１係合具と前記第２係合具との係合を解除する留具をさらに有するようにしてもよい。すなわち、調整機構はいわゆるジッパーを有するようにしてもよい。調整機構がジッパーを有している場合、第１係合具および第２係合具のいずれか他方が、周方向に沿ってずらして複数設けられていてもよい。また、この例に代えて、調整機構の第１係合部および第２係合部が面ファスナーとして構成されてもよい。調整機構が面ファスナーを有している場合、第１係合具および第２係合具のいずれか一方が周方向に一定の長さを有し、この長さの範囲内で周方向に沿った保持部の長さを変更可能であるようにしてもよい。
【００１５】
あるいは、本発明による子守帯において、前記調整機構は、幅方向における互いに異なる位置において前記保持部に取り付けられた複数の係合具と、前記複数の係合具のそれぞれに対応して設けられ、各々が対応する各係合具と係合可能な複数の受け具と、を有し、各受け具は、幅方向における互いに異なる位置において前記保持部に取り付けられ、前記係合具および前記受け具は互いから周方向にずれて前記保持部上に配置されているようにしてもよい。または、本発明による子守帯において、前記調整機構は、幅方向における互いに異なる位置において前記保持部に取り付けられた複数の係合具と、前記複数の係合具のそれぞれに対応して設けられ、各々が対応する前記係合具と係合可能な複数の受け具であって、各々が幅方向における互いに異なる位置において前記保持部に取り付けられた第１群の受け具と、前記複数の係合具のそれぞれに対応して設けられ、各々が対応する前記係合具と係合可能な複数の受け具であって、各々が幅方向における互いに異なる位置において前記保持部に取り付けられた第２群の受け具と、を有し、前記係合具は、前記第１群の受け具および前記第２群の受け具から周方向にずれて前記保持部上に配置され、前記第１群の受け具は、前記第２群の受け具から周方向にずれて前記保持部上に配置されているようにしてもよい。これらの子守帯において、前記係合具が取り付けられた位置から当該係合具に対応する受け具が取り付けられた位置までの前記保持部上における長さは、幅方向に沿い前記一方の縁部に向けて、長くなっていくようにしてもよい。
【００１６】
さらに、本発明による子守帯において、環状の前記子守帯本体は無端のシート状材料からなるようにしてもよい。
【００１７】
さらに、本発明による子守帯において、前記子守帯本体の幅は、前記支持部から前記連結部を経由して前記保持部に向かうに連れて、連続的に広くなっていくようにしてもよい。
【００１８】
さらに、本発明による子守帯において、環状の前記子守帯本体は、使用者の一方の側の肩に掛けられるとともに、使用者の他方の側の脇の下を通過するようにして、使用者に装着されるようにしてもよい。
【発明を実施するための形態】
【００１９】
以下、図面を参照して本発明の一実施の形態について説明する。
【００２０】
図１乃至図８は本発明の一実施の形態を説明するための図である。図１に示すように、本実施の形態における子守帯１０は、使用者１が乳幼児５を座らせた状態で支持するためのものであり、ベビースリング、ベビーキャリア、抱っこ紐とも呼ばれる。図１乃至６に示すように、子守帯１０は、環状の子守帯本体２０と、子守帯本体２０に接続され、乳幼児５の股を通過して子守帯本体２０に乳幼児５を保持するための保持部材４０と、子守帯本体２０の周方向に沿った長さを調整する調整機構５０と、を備えている。以下、子守帯本体２０、保持部材４０および調整機構５０について詳述していく。
【００２１】
まず、子守帯本体２０について詳述する。図１および図２によく示されているように、子守帯本体２０は、使用者１の肩１ａに掛けられるようになる支持部２１と、支持部２１に対向して配置され乳幼児５が保持されるようになる保持部２２と、支持部２１および保持部２２をそれぞれ両側から連結する一対の連結部２３ａ，２３ｂと、を有している。図１に示すように、環状の子守帯本体２０は、使用者１の一方の肩１ａ（図１に示す例においては、右側の肩）に掛けられるとともに、使用者１の他方の脇の下（図１に示す例においては、左側の脇の下）を通過するようにして、すなわち、いわゆるたすきがけにして、使用者１に装着される。子守帯本体２０が使用者１に装着された際、保持部２２は使用者１の腹部に対面する位置に配置され、また、保持部２２に保持された乳幼児５は使用者１と対面するようになる。このような子守帯本体２０には、使用時に周方向に沿った引っ張り力が負荷されるようになる。
【００２２】
環状の子守帯本体２０は無端のシート状材料３０からなっている。すなわち、支持部２１、保持部２２および連結部２３ａ，２３ｂは、連続したシート状材料３０からなっている。そして、図２および図４に示すように、子守帯本体２０の幅（幅方向長さ）は、支持部２１から連結部２３ａ，２３ｂを経由して保持部２２に向かうに連れて、連続的に広くなっている。このような子守帯本体２０には、子守帯本体２０を環状に形成するための金具等が設けられていない。したがって、子守帯１０の使用中に、金具等が使用者や乳幼児に食い込んでしまうことを防止することができる。また、不使用時には、コンパクトな大きさに折り畳むことができ、収納性に優れている。
【００２３】
図７に示されているように、子守帯本体２０の各部２１，２２，２３ａ，２３ｂをなすシート状材料３０は、子守帯本体２０が使用者１に装着された際に内側面を形成する内側布３１と、内側布３１に対向して配置され、子守帯本体２０が使用者１に装着された際に外側面を形成する外側布３２と、内側布３１と外側布３２との間に配置され伸縮性を有する緩衝材３３と、を含んでいる。内側布３１および外側布３２は、同一の織物からなっている。
【００２４】
緩衝材３３は、例えば５ｍｍの厚さを有するウレタン材から形成され得る。緩衝材３３は、使用者１や乳幼児５に加えられる力を分散し、使用者１および乳幼児５への負担を軽減する機能を有している。図７に示すように、緩衝材３３は、適宜、内側布３１および外側布３２に縫い付けられている。したがって、内側布３１および外側布３２の間で緩衝材３３がずれてしまわないようになっている。
【００２５】
図８に示すように、織物からなる布３１，３２は、第１の方向に延びる複数のたて糸と、第２の方向に延びる複数のよこ糸と、を含んでいる。そして、たて糸とよこ糸とが互いに組み合わされて布３１，３２が形成されている。好ましくは、また、多くの場合、図８（ａ）に示すように、たて糸の延びる第１方向とよこ糸の延びる第２方向とは直交している。このような布３１，３２が第１方向に沿って引っ張り力を受けた場合、たて糸が伸張性を有していなければ、布３１，３２は第１方向に沿って伸びることはない。同様に、布３１，３２が第２方向に沿って引っ張り力を受けた場合、よこ糸が伸張性を有していなければ、布３１，３２は第２方向に沿って伸びることはない。その一方で、図８（ｂ）に示すように、布３１，３２が第１方向および第２方向のいずれにも平行でない方向に沿って引っ張り力を受けた場合、たて糸およびよこ糸が伸張性を有していなくとも、引っ張り方向に沿って伸びるようになる。このときの伸び率（（Ｌ２−Ｌ１）／Ｌ１）は、引っ張り方向が第１方向となす角度および引っ張り方向が第２方向となす角度が大きいほど、大きくなる。したがって、図８に示す例のように第１方向と第２方向とが直交し、かつ、たて糸とよこ糸が伸張性を有さないまたは伸張性の低い同一の糸からなる布３１，３２において、第１方向および第２方向が引っ張り方向に対してそれぞれ４５°傾斜している場合には、布３１，３２は引っ張り方向に沿って大きく延びる。その一方で、図８に示す例のように第１方向と第２方向とが直交し、かつ、たて糸とよこ糸が伸張性を有さないまたは伸張性の低い同一の糸からなる布３１，３２において、第１方向または第２方向が引っ張り方向と略平行である場合には、布３１，３２は引っ張り方向に沿ってほとんど伸びない。
【００２６】
本実施の形態において、幅方向の一側に位置する支持部２１の一側領域２１ａに配置された布３１ａ，３２ａにおける糸の延びる方向は、幅方向の他側に位置する支持部２１の他側領域２１ｂに配置された布３１ｂ，３２ｂにおける糸の延びる方向と、異なっている。言い換えると、図７に示すように、支持部２１の一側領域２１ａに配置された布３１ａ，３２ａにおける糸が周方向となす角度は、他側領域２１ｂに配置された布３１ｂ，３２ｂにおける糸が周方向となす角度と、異なっている。ここで、本実施の形態における幅方向の一側とは、子守帯本体２０が使用者１に装着され支持部２１が肩に掛けられた場合に、幅方向において首に近い側である。つまり、本実施の形態においては、使用者１の首１ｂに当接する支持部２１の一側領域２１ａにおける伸縮性を調整して、子守帯１０を支持する際の使用者の負担、さらに具体的には、子守帯１０を支持する際における使用者１の首１ｂへの支持部２１の食い込みを軽減しようとしている。
【００２７】
なお、本実施の形態における、支持部２１の他側領域２１ｂとは、支持部２１の一側領域２１ａ以外の領域である。そして、一側領域２１ａと他側領域２１ｂとでは、布３１，３２における糸の配列方向が異なるだけであり、一側領域２１ａに配置された布３１ａ，３２ａおよび他側領域２１ｂに配置された布３１ｂ，３２ｂは、同一の織物からなっている。また、一側領域２１ａに配置された緩衝材３３および他側領域２１ｂに配置された緩衝材３３は、同一材料からなっており、さらに、一体物からなっていてもよい。
【００２８】
図７を参照して一側領域２１ａと他側領域２１ｂとの違いをさらに具体的に説明する。図７に示すように、一側領域２１ａに配置された布３１ａ，３２ａにおいてたて糸３５ａが子守帯本体２０の周方向となす角度およびよこ糸３５ｂが子守帯本体２０の周方向となす角度のうちの小さい方の角度αは、他側領域２１ｂに配置された布３１ｂ，３２ｂにおいてたて糸３５ａが子守帯本体２０の周方向となす角度およびよこ糸３５ｂが子守帯本体２０の周方向となす角度のうちの小さい方の角度よりも、大きくなっている。したがって、支持部２１の一側領域２１ａにおける周方向に沿った伸縮性は、支持部２１の他側領域２１ｂにおける周方向に沿った伸縮性よりも大きくなる。
【００２９】
使用者１への負担を軽減させるには、一側領域２１ａにおいて支持部２１が、使用者１の肩１ａから立ち上がった首１ｂの形状に沿って変形することが有効である。支持部２１の一側領域２１ａが首１ｂの形状に沿って他側領域２１ｂから立ち上がるように変形した場合、支持部２１が首１ｂへ食い込んでしまうことを防止して、支持部２１の首１ｂへの当たりを和らげることが可能となる。つまり、支持部２１が使用者１に有効に面接触して、乳幼児５を支持するために必要となる力が接触面内に分散して使用者１に加えられるようになる。そして、支持部２１が、一側領域２１ａにおいて、周方向に沿って大きな伸縮性を有する場合、支持部２１の一側領域２１ａが首１ｂの形状に沿って他側領域２１ｂから立ち上がるように変形することができる。また、一側領域２１ａにおいて支持部２１が有効な伸縮性を有するようにするには、一側領域２１ａに配置された布３１ａ，３２ａにおいて、たて糸３５ａおよびよこ糸３５ｂが子守帯本体２０の周方向に対して３０°以上６０°以下の角度で傾斜しているようにすることが好ましい。
【００３０】
本実施の形態においては、図８に示すように、一側領域２１ａに配置された内側布３１ａおよび一側領域２１ａに配置された外側布３２ａは、支持部２１の幅方向における一側の縁部で折り返された一枚の織物からなっている。すなわち、上述の角度条件を、支持部２１の内側面および外側面において、同一の材料（織物）を用いて同時に満たすことができるようになっている。
【００３１】
一方、支持部２１が、他側領域２１ｂにおいても、引っ張り力を受ける周方向に沿って大きな伸縮性を有していると、乳幼児５を安定して支持することができなくなる可能性がある。このような観点から、他側領域２１ｂにおける支持部２１の伸縮性を小さくするため、他側領域２１ｂに配置された布３１ｂ，３２ｂにおいて、たて糸３５ａが子守帯本体２０の周方向となす角度およびよこ糸３５ｂが子守帯本体２０の周方向となす角度のうちの小さい方の角度を、０°以上１５°以下とすることが好ましい。図７に示す例においては、他側領域２１ｂにおいて支持部２１が伸縮性を有さないようにするため、よこ糸３５ｂが子守帯本体２０の周方向となす角度を略０°としている。
【００３２】
また、子守帯１０の使用時には、子守帯本体２０の支持部２１以外の部分２２，２３ａ，２３ｂにおいても、周方向に引っ張り力が負荷される。そして、子守帯本体２０の保持部２２および連結部２３ａ，２３ｂが、引っ張り力を受ける周方向に沿って大きな伸縮性を有していると、乳幼児５を安定して支持することができなくなる可能性がある。このような観点から、保持部２２および連結部２３ａ，２３ｂに配置された布３１，３２においても、たて糸３５ａが子守帯本体２０の周方向となす角度およびよこ糸３５ｂが子守帯本体２０の周方向となす角度のうちの小さい方の角度が、０°以上１５°以下となっていることが好ましい。
【００３３】
ところで、布３１，３２に含まれた糸３５ａ，３５ｂと周方向とがなす角度を特定する場合、周方向を特定しなければならない。この場合、周方向を、布３１，３２が配置された幅方向に沿った位置に基づいて逐一決定するのではなく（例えば、図４における点線）、子守帯本体２０の幅方向中心線（図４における一点鎖線）に沿った方向として、幅方向に沿った位置によらず画一的に扱ってもよい。
【００３４】
図４および図５に示すように、支持部２１の一側領域２１ａの幅は、周方向における両側の端部領域において、当該両側の端部に接近するにつれて次第に狭くなっていくようになっている。さらに具体的には、支持部２１の一側領域２１ａと支持部２１の一側領域２１ａに隣接する領域との境界は弧状、詳細には円弧状となっている。そして、このような一側領域２１ａの輪郭は、支持部２１の一側領域２１ａが他側領域２１ｂから立ち上がって、使用者１の首１ｂにフィットすることを促進する。したがって、支持部２１は使用者の体に正確にフィットして、使用者への負担を軽減することができる。
【００３５】
また、図４、図５および図８に示すように、緩衝材３３は、一側領域２１ａの幅方向における他側の縁部または縁部の近傍において、当該縁部に沿うようにして、内側布３１および外側布３２の両方に縫い付けられている。したがって、一側領域２１ａにおける内側布３１および外側布３２の局所的な伸縮に追従して緩衝材３３も伸縮するようになる。つまり、緩衝材３３が、内側布３１および外側布３２内においてずれて有効な緩衝作用を発揮しなくなることを防止することができる。また、一側領域２１ａの縁部に沿った縫い目上で、一側領域２１ａが支持部２１の他の領域に対して揺動しやすくなる。したがって、使用者１の体に支持部２１をさらに効果的に適合させて面接触させることができる。
【００３６】
以上のような子守帯本体２０を含む子守帯１０によれば、使用者１の肩１ａに当接する支持部２１に含まれる布３１，３２は、一側領域２１ａおよび他側領域２１ｂにおいて異なる伸縮性を有するようになる。したがって、使用者１の肩１ａに支持部２１を効果的に適合させて面接触させることを可能とすることができる。このため、乳幼児５を支持するために使用者へ加えられる力を、効果的に分散させることができる。すなわち、使用者１へ加えられる荷重を分散させて使用者１への負担を軽減させることができる。
【００３７】
次に、子守帯本体２０に接続された保持部材４０について詳述する。図２に示すように、保持部材４０は、子守帯本体２０の幅方向の他側の縁部近傍において、子守帯本体２０に接続されている。ここで幅方向の他側とは、上述した幅方向の一側とは逆の側であって、子守帯本体２０が使用者１に装着され場合に、幅方向において下側となる側である。そして、本実施の形態において、保持部材４０は、主として、子守帯本体２０に保持された乳幼児５が前方に滑り落ちることを防止するために設けられている。
【００３８】
図２、図５および図６に示すように、保持部材４０は、乳幼児５の股を通過する基部４１と、基部４１からそれぞれ延び出る第１延出部４２ａおよび第２延出部４２ｂと、を有している。第１延出部４２ａおよび第２延出部４２ｂは基部４１の一方の端部に接続されている。したがって、保持部材４０はＴ字状の形状を有しており、Ｔ字の三つの端部において子守帯本体２０に連結されている。したがって、子守帯本体２０と保持部材４０とによって二つの開口４５ａ，４５ｂが形成される。乳幼児５は、この開口４５ａ，４５ｂに両足をそれぞれ挿入して、子守帯本体２０の保持部２２上に座った状態で支持される。このため、子守帯１０に支持された乳幼児５が子守帯本体２０から滑り落ちてしまうことをより確実に防止することができる。また、乳幼児５は子守帯本体２０上の同一位置に保持されるようになるので、子守帯１０によって乳幼児５をより安定して支持することができる。
【００３９】
本実施の形態において、第１延出部４２ａおよび第２延出部４２ｂは伸張可能に形成されている。このような伸張可能な第１延出部４２ａおよび第２延出部４２ｂは、例えば以下のようにして、形成され得る。まず、広げられた状態でＴ字状の形状を有する布を、保持部材４０の材料として準備する。そして、布の第１延出部４２ａおよび第２延出部４２ｂに相当する部分に、伸張状態にある弾性材４３ａ，４３ｂ、例えばゴムが接着される。このとき、弾性材４３ａ，４３ｂは、その全長に渡って、第１延出部４２ａおよび第２延出部４２ｂに相当する部分に接着固定される。この結果、弾性材４３ａ，４３ｂの復元力により布が縮んで、伸張可能な第１延出部４２ａおよび第２延出部４２ｂが、基部４１とともに得られる。第１延出部４２ａおよび第２延出部４２ｂを伸張可能とすることにより、子守帯本体２０と保持部材４０とによって形成される二つの開口４５ａ，４５ｂに乳幼児１の両足をそれぞれ挿入しながら、乳幼児５を子守帯本体上に容易に乗せることができるようになる。また、広い月齢範囲の乳幼児に対し、保持部材４０付きの子守帯１０を適用することができる。
【００４０】
上述したように、Ｔ字状の保持部材４０はＴ字の三つの端部において子守帯本体２０に連結されている。図５に示すように、保持部材４０の基部４１は、子守帯本体２０の保持部２２の周方向における中央領域に縫い付けられている。保持部材４０の第１延出部４２ａは、基部４１の保持部２２への接続箇所よりも一方の連結部２３ａ側において子守帯本体２０に縫い付けられている。保持部材４０の第２延出部４２ｂは、基部４１の保持部２２への接続箇所よりも他方の連結部２３ｂ側において子守帯本体２０に縫い付けられている。さらに具体的には、基部４１は、保持部２２の周方向中心を通る幅方向線Ｌａ上において保持部２２へ接続されている。そして、基部４１の保持部２２への接続箇所を通過する子守帯本体２０の幅方向線Ｌａ（図５参照）を中心とした子守帯本体２０上の線対称な位置に、第１延出部４２ａの保持部２２への接続箇所と第２延出部４２ｂの保持部２２への接続箇所とが配置されている。したがって、二つの開口４５ａ，４５ｂに両足がそれぞれ挿入されるようにして乳幼児５が子守帯１０に支持された場合、乳幼児５の背中が子守帯本体２０の略幅方向に沿って延びるようにして、乳幼児５を座らせた状態で安定して支持することができる。
【００４１】
なお、図２、図５および図６から理解できるように、基部４１、第１延出部４２ａおよび第２延出部４２ｂは、それぞれ、子守帯本体２０の幅方向における同じ側の縁部２０ｂ近傍（本例において、下側縁部２０ｂ近傍）において子守帯本体２０に接続されている。また、保持部材４０は、シート状材料３０からなる子守帯本体２０の内側面、言い換えると使用者１と対面する側の子守帯本体２０の面に接続されている。したがって、子守帯１０の使用中に保持部材４０が外方に露出しないようにすることができる。これにより、保持部材４０が子守帯１０の意匠性を害すことを防止することができる。
【００４２】
ここで、図６は、子守帯本体２０の連結部２３ａ，２３ｂ間を広げた状態において、子守帯１０を上方から示す斜視図である。図６に示すように、子守帯本体２０および第１延出部４２ａの接続箇所と子守帯本体２０および第２延出部４２ｂの接続箇所との間の子守帯本体２０上における長さＬ３は、子守帯本体２０および第１延出部４２ａの接続箇所と子守帯本体２０および第２延出部４２ｂの接続箇所との間の保持部材２０上における長さＬ４よりも長くなっている。したがって、子守帯１０を装着した使用者１が乳幼児を乗せようとして子守帯本体２０の一対の連結部２３ａ，２３ｂ間を広げようとすると、Ｔ字状の保持部材４０が子守帯本体２０をなすシート状材料３０のシート面から立ち上がるようになる。したがって、乳幼児５を子守帯１０に乗せる際に、使用者１が保持部材４０の存在に気付く。このため、保持部材４０を使用せずに乳幼児５を子守帯本体２０に乗せてしまうことを防止することができる。つまり、子守帯１０の誤使用を防止して、乳幼児５を安全に支持することができる。
【００４３】
以上のような保持部材４０を含む子守帯１０によれば、保持部材４０が腿回りおよび腹回りにおいて乳幼児５を保持し、乳幼児５を子守帯本体２０上に安定して保持することができる。したがって、乳幼児５が子守帯本体２０から滑り落ちてしまうことをより確実に防止することができ、乳幼児５をより安全に支持することができる。また、保持部材４０が設けられていることによって、使用者１に対し視覚的に安心感を与えることができ、これにより、乳幼児５が落下してしまうのではないかという使用者１の不安を十分に解消することもできる。
【００４４】
次に、子守帯本体２０の周方向に沿った長さを調整する調整機構５０について詳述する。本実施の形態において、調整機構５０は、子守帯本体２０の保持部２２に取り付けられた第１群の掛け具５１と、子守帯本体２０の保持部２２に取り付けられた第２群の掛け具５２と、第１群の掛け具５１と第２群の掛け具５２との間に掛け渡された紐５３と、を有している。
【００４５】
第１群の掛け具５１は、紐５３を引っ掛ける又は通すことができる複数（例えば三つ以上）の掛け具を含んでいる。第１群に含まれる掛け具５１のそれぞれは、子守帯本体２０の幅方向において互いに異なる位置に配置されている。図３に示すように、本実施の形態において、第１群に含まれる掛け具５１は、周方向に対して傾斜または直交する一つの線Ｌｂ上に間隔を空けて配列されている。また、複数の掛け具５１は、子守帯本体２０の幅方向における中央部から一側の縁部２０ａ近傍までの間にわたって、配置されている。ここで、幅方向における一側とは、上述した幅方向の一側と同じ側であって、子守帯本体２０が使用者１に装着され場合に、幅方向において上側となる側である（図２および図３参照）。
【００４６】
第２群の掛け具５２は、子守帯本体２０上における配置位置が異なるだけで、その他は第１群の掛け具５１と同様に構成されている。具体的には、第２群の掛け具５２は、紐５３を引っ掛ける又は通すことができる複数（例えば三つ以上）の掛け具を含んでいる。第２群に含まれる掛け具５２のそれぞれは、子守帯本体２０の幅方向において互いに異なる位置に配置されている。本実施の形態において、第２群に含まれる掛け具５２は、周方向に対して傾斜または直交する一つの線Ｌｃ上に間隔を空けて配列されている。また、複数の掛け具５１は、子守帯本体２０の幅方向における中央部から一側（上側）の縁部２０ａ近傍までの間にわたって、配置されている。
【００４７】
第１群の掛け具５１が配列された線Ｌｂおよび第２群の掛け具５２が配列された線Ｌｃは、子守帯本体２０上の周方向にずれた位置を通過している。さらに具体的には、本実施の形態においては、図３に示すように、子守帯本体２０の保持部２２における周方向中心を通る幅方向線Ｌａ上を中心とした子守帯本体２０上の線対称な位置を、第１群の掛け具５１が配列された線Ｌｂと第２群の掛け具５２が配列された線Ｌｃとが延びている。また、子守帯本体２０上における線Ｌｂと子守帯本体２０上における線Ｌｃとの周方向に沿った離間間隔は、幅方向に沿って一側の縁部２０ａに向けて、長くなっていく。
【００４８】
本実施の形態において、掛け具５１，５２は、リボン状の紐を折り返してその両端を子守帯本体２０上に縫い付けることによって形成されている。つまり、掛け具５１，５２は、貫通孔を有する筒状に形成され、貫通孔に紐５３を通すことによって紐５３を保持するようになっている。しかしながら、このような掛け具５１，５２の構成は、単なる例示に過ぎず、種々の既知な掛け具を適宜用いることができる。
【００４９】
一方、紐５３は、第１群に含まれる掛け具５１および第２群に含まれる掛け具５２へ交互に掛け渡されながら、幅方向に沿い一方の側の縁部２０ａに向けて延びている。すなわち、紐５３は、いわゆる編み上げ靴における紐のように掛け具５１，５２間を掛け渡されている。
【００５０】
なお、第１群の掛け具５１および第２群の掛け具５２は、シート状材料３０からなる子守帯本体２０の外側面、言い換えると、乳幼児５に対面しない側の面に設けられている。したがって、掛け具５１，５２や紐５３が、乳幼児５に食い込んでしまうことを防止することができる。
【００５１】
このような構成からなる調整機構５０の紐５３を締め上げて結ぶことにより、保持部２２は絞られた状態に維持されるようになる。すなわち、保持部２２の周方向に沿った長さが保持部２２をなすシート状材料３０自身の周方向に沿った長さよりも短くなるよう状態に、保持部２２は維持される。すなわち、紐５３を締め上げる量を適宜調節することにより、一対の連結部２３ａ，２３ｂ間における周方向に沿った保持部２２の長さを、子守帯本体２０の幅方向における少なくとも一方の縁部２０ａ近傍から中央部までの間に渡って、適宜調整することができる。
【００５２】
したがって、調整機構５０の紐５３を弛めておくことにより、使用者１が子守帯本体２０の装着を容易に行うことができるようになる。また、調整機構５０の紐５３を弛めておくことにより、使用者１が装着した子守帯本体２０内に乳幼児５を容易に乗せることができるようになる。
【００５３】
また、乳幼児５を子守帯本体２０内に支持した後に紐５３を締めることにより、子守帯本体２０の幅方向における上側の縁部２０ａ近傍から中央部までの間に渡って、調整することができる。これにより、乳幼児５を密着した状態で支持することができるようになる。また、保持部２２が乳幼児５の臀部および背部を包み込んで面接触するようになる。したがって、子守帯本体２０内に保持された乳幼児５が反り返る等したとしても、乳幼児５が子守帯１０から後ろ側に落下してしまうことを防止することができる。加えて、乳幼児５を面で支持して、乳幼児５への負担を軽減することができる。
【００５４】
さらに、紐５３を弛めることによって、乳幼児５を子守帯本体２０から容易に降ろすことができるとともに、使用者１が子守帯本体２０を容易に脱ぐこともできる。
【００５５】
とりわけ、本実施の形態における調整機構５０においては、子守帯本体２０上の第１群の掛け具５１が配置されている位置と、子守帯本体２０上の第２群の掛け具５２が配置されている位置と、の離間距離は幅方向に沿って上側の縁部２０ａに向けて長くなっていく。したがって、子守帯本体２０の上側縁部２０ａ側における調整代が大きくなる。また、紐５３は幅方向に沿って上側の縁部２０ａに向けて編み上げられ、紐５３の結び目は幅方向における上側の縁部２０ａ近傍に形成される。したがって、保持部２０の周方向長さの変化量は子守帯本体２０上側縁部２０ａ側において大きくなりやすくなる。これらのことから、上述した作用効果が寄り顕著に発揮されるようになる。
【００５６】
また、上述しようように、子守帯本体２０内には保持部材４０が設けられており、子守帯本体２０内において乳幼児５は略同一の位置に保持されるようになる。したがって、調整機構５０を有効に機能させることができる。
【００５７】
さらに、本実施の形態において、図１に示すように、第１群の掛け具５１および第２群の掛け具５２は、乳幼児５の背部に対面するようになる保持部２２の領域に配置されており、乳幼児５の臀部に対面するようになる保持部２２の領域には配置されていない。したがって、紐５３を絞ることにより、乳幼児５の背部に対面する領域における周方向に沿った保持部２２の長さをそのままに維持した状態で、乳幼児５の背部に対面する領域における周方向に沿った保持部２２の長さを短くすることができる。この結果、乳幼児５の臀部に対面するようになる保持部２２の領域に対して背部に対面する保持部２２の領域を立ち上げるように、子守帯本体２０を変形させることができる。これにより、座った状態の乳幼児５を安定して心地よく支持することができる。
【００５８】
以上のような調整機構５０を含む子守帯１０によれば、乳幼児５を子守帯本体２０に乗せた後および乳幼児５を子守帯本体２０から降ろした後に、保持部２２の周方向に沿った長さを、子守帯本体２０の幅方向における少なくとも一方の縁部２０ａ近傍から中央部までの間に渡って、調整することができる。したがって、使用者１は、乳幼児５を子守帯本体２０に容易に乗せることができるとともに、乳幼児５を子守帯本体２０から容易に降ろすことができる。また、使用者１は、子守帯１０を介し、乳幼児５を密着した状態で支持することができるようになる。このため、乳幼児５を支持する使用者１への負担を軽減することができる。さらに、乳幼児５の臀部および背部を包み込んで面で支持することができる。このため、支持された乳幼児５への負担を軽減することができる。
【００５９】
なお、上述した実施の形態に関し、本発明の要旨の範囲内で種々の変更が可能である。
【００６０】
例えば、上述した支持部２１の構成は、上述した子守帯１０に限られず、種々の子守帯に適用することができる。
【００６１】
また、図９乃至図１３に示すように、調整機構の構成を変更することも可能である。なお、以下において、図９乃至図１３を参照しながら調整機構の変形例について説明するが、図９乃至図１３において、図１乃至図８に示す上述した実施の形態と同一部分には同一符号を付すとともに、詳細な説明は省略する。
【００６２】
まず、図９に示された調整機構の第１の変形例について説明する。図９に示す例において、調整機構６０は、幅方向に対して直交または傾斜して延び、両端が保持部２２に取り付けられた複数（例えば三つ以上）の紐状部材６１を有している。そして、各紐状部材６１の両端間の長さは可変となっている。
【００６３】
図示する具体例において、紐状部材６１は周方向に延び、両端を保持部２２に取り付けられている。また、複数の紐状部材６１は、周方向に対して傾斜または直交する上述した線Ｌｂおよび線Ｌｃの間を、幅方向における互いに異なる位置において掛け渡されている。複数の紐状部材６１は、子守帯本体２０の幅方向における中央部と一側の端部２０ａ近傍との間にわたって、間隔を空けて配置されている。
【００６４】
また、各紐状部材６１は、一方の端部が保持部２２に縫い付けられた第１ベルト６２ａと、一方の端部が保持部２２に縫い付けられた第２ベルト６２ｂと、第２ベルト６２ｂの他方の端部に取り付けられた調節具（例えばラダー）６３と、を有している。そして、調節具６３は、第１ベルト６１ａと係合して、第１ベルト６１ａの所望の位置に固定され得る。
【００６５】
このような調整機構６０によっても、上述した調整機構５０と同様の作用効果を奏することができる。すなわち、各紐状部材６１の長さを適宜変更することにより、保持部２２の周方向に沿った長さを、子守帯本体２０の幅方向における少なくとも一方の縁部２０ａ近傍から中央部までの間に渡って、調整することができる。したがって、使用者１が乳幼児５を密着して支持することができ、かつ、乳幼児５の乗り降りを容易に行うことができる。また、乳幼児５の臀部および背部を包み込んで面で支持することできる。さらに、広い月齢範囲の乳幼児５に対して子守帯１０を適用することができる。
【００６６】
なお、この第１の変形例において、図示された具体例に限られず、紐状部材６１として、両端間の長さが可変である種々の既知の部材を用いることができる。例えば、バックルからなる調節具を用いてもよいし、第１ベルト６２ａおよび第２ベルト６２ｂに代えて紐を用いるようにしてもよい。
【００６７】
次に、図１０および図１１を参照して第２の変形例について説明する。図１０および図１１に示す例において、調整機構７０は、周方向に対して直交または傾斜して延びる第１係合具７１と、周方向に対して直交または傾斜して延び前記第１係合具７１と係合可能な第２係合具７２と、を有している。第１係合具７１および第２係合具７２は、互いから周方向にずれた位置において、それぞれ保持部２２に取り付けられている。本例において、第１係合具７１および第２係合具７２は、それぞれ、子守帯本体２０の幅方向における一側の端部２０ａ近傍と他側の端部２０ｂ近傍との間にわたって延びている。
【００６８】
なお、図１０に示された調整機構７０において、第１係合具７１および第２係合具７２は非係合状態にあり、図１１に示された調整機構７０において、第１係合具７１および第２係合具７２は係合状態にある。
【００６９】
図示する具体例において、調整機構７０はいわゆるジッパー（ファスナー・スライドファスナー）を有している。したがって、調整機構７０は、第１係合具７１および第２係合具７２のいずれか一方に摺動可能に取り付けられた留具７３を有している。留具７３は、第１係合具７１および第２係合具７２に対して摺動することによって、第１係合具７１と第２係合具７２とを係合させる又は第１係合具７１と第２係合具７２との係合を解除する。図１０から理解できるように、第１係合具７１が取り付けられた位置から第２係合具７２が取り付けられた位置までの周方向に沿った保持部２２上における長さは、幅方向に沿い一方の縁部２０ａに向けて、長くなっていく。さらに、図示する例によれば、保持部２２には、一方の縁部２０ａ近傍において、一対の補助留具７４ａ，７４ｂが設けられている。一対の補助留具７４ａ，７４ｂは係合して互いに係止し合うようになっている。
【００７０】
このような調整機構７０によっても、上述した調整機構５０と同様の作用効果を奏することができる。すなわち、簡単な操作により、保持部２２の周方向に沿った長さを、子守帯本体２０の幅方向における少なくとも一方の縁部２０ａ近傍から中央部までの間に渡って、予め設定された長さに調整することができる。したがって、使用者１が乳幼児５を密着して支持することができ、かつ、乳幼児５の乗り降りを容易に行うことができる。また、乳幼児５の臀部および背部を包み込んで面で支持することできる。
【００７１】
なお、この第２の変形例において、図示された具体例に限られず、第１係合具７１および第２係合具７２の少なくとも一方を二つ以上設けるようにしてもよい。このような構成によれば、保持部２２の周方向に沿った長さを、予め設定された二以上の長さのいずれかに調整することができる。このような調整機構によれば、広い月齢範囲の乳幼児５に対して子守帯１０を適用することができる。
【００７２】
次に、図１２を参照して第３の変形例について説明する。図１２に示す例において、調整機構８０は、周方向に対して直交または傾斜して延びる第１係合具８１と、周方向に対して直交または傾斜して延び前記第１係合具８１と係合可能な第２係合具８２と、を有している。本例において、第１係合具８１および第２係合具８２は、それぞれ、子守帯本体２０の幅方向における一側の端部２０ａ近傍と他側の端部２０ｂ近傍との間にわたって延びている。また、本例において、第１係合具８１および第２係合具８２は面ファスナーとして構成されている。
【００７３】
図示する具体例において、調整機構８０は、保持部２２に取り付けられ、保持部２２に対して揺動可能な舌部８３をさらに有している。そして舌部８３の裏面に第２係合具８２が取り付けられている。第１係合具８１および第２係合具８２は、互いから周方向にずれた保持部２２上の位置に配置されている。そして、第１係合具８１および第２係合具８２が互いに対面するようになるまで保持部２２を周方向に絞って、第１係合具８１および第２係合具８２を重ね合わせることにより、保持部２２の周方向長さを、保持部２２をなすシート状材料３０自身の周方向に沿った長さよりも短い長さに維持することができる。
【００７４】
このような調整機構８０によっても、上述した調整機構５０と同様の作用効果を奏することができる。すなわち、簡単な操作により、保持部２２の周方向に沿った長さを、子守帯本体２０の幅方向における少なくとも一方の縁部２０ａ近傍から中央部までの間に渡って、調整することができる。したがって、使用者１が乳幼児５を密着して支持することができ、かつ、乳幼児５の乗り降りを容易に行うことができる。また、乳幼児５の臀部および背部を包み込んで面で支持することできる。さらに、広い月齢範囲の乳幼児５に対して子守帯１０を適用することができる。
【００７５】
次に、図１３を参照して第４の変形例について説明する。図１３に示す例において、調整機構９０は、幅方向における互いに異なる位置において保持部２２に取り付けられた複数（例えば三つ以上）の係合具９１と、複数の係合具９１のそれぞれに対応して設けられ、各々が対応する係合具９１と係合可能な複数の受け具９２であって、各々が幅方向における互いに異なる位置において保持部２２に取り付けられた第１群の受け具９２と、複数の係合具９１のそれぞれに対応して設けられ、各々が対応する係合具９１と係合可能な複数の受け具９３であって、各々が幅方向における互いに異なる位置において保持部２２に取り付けられた第２群の受け具９３と、を有している。係合具９１は、第１群の受け具９２および第２群の受け具９３から周方向にずれて保持部２２上に配置されている。また、第１群の受け具９２は、第２群の受け具９３から周方向にずれて保持部２２上に配置されている。
【００７６】
図示する具体例において、係合具９１は、周方向に対して傾斜または直交する一つの線Ｌｂ１上に配列されている。複数の係合具９１は、子守帯本体２０の幅方向における中央部と一側の端部２０ａ近傍との間にわたって、間隔を空けて配置されている。第１群の受け具９２は、周方向に対して傾斜または直交する一つの線Ｌｃ１上に配列されている。第１群に含まれる複数の受け具９２は、子守帯本体２０の幅方向における中央部と一側の端部２０ａ近傍との間にわたって、間隔を空けて配置されている。また、第２群の受け具９３は、周方向に対して傾斜または直交する一つの線Ｌｃ２上に配列されている。第２群に含まれる複数の受け具９３は、子守帯本体２０の幅方向における中央部と一側の端部２０ａ近傍との間にわたって、間隔を空けて配置されている。そして係合具９１が取り付けられた位置から当該係合具に対応する受け具９２，９３が取り付けられた位置までの保持部２２上における長さは、幅方向に沿い一方の縁部２０ａに向けて、長くなっていく。言い換えると、子守帯本体２０上における線Ｌｂ１と子守帯本体２０上における線Ｌｃ１および線Ｌｃ２との周方向に沿った離間間隔は、幅方向に沿って一側の縁部２０ａに向けて長くなっていく。
【００７７】
また、本実施の形態において、係合具９１はフックからなり、受け具９２，９３は掛紐からなっている。しかしながら、この例に限れず、係合具９１および受け具９２，９３として、互いに係合して係止し合う種々の既知な部材を用いることができる。
【００７８】
複数の係合具９１を第１群の受け具９２と係合させることにより、あるいは、複数の係合具９１を第２群の受け具９３と係合させることにより、保持部２２の周方向長さを、保持部２２をなすシート状材料３０自身の周方向に沿った長さよりも短い長さに維持することができる。
【００７９】
このような調整機構９０によっても、上述した調整機構５０と同様の作用効果を奏することができる。すなわち、簡単な操作により、保持部２２の周方向に沿った長さを、子守帯本体２０の幅方向における少なくとも一方の縁部２０ａ近傍から中央部までの間に渡って、予め設定された長さに調整することができる。したがって、使用者１が乳幼児５を密着して支持することができ、かつ、乳幼児５の乗り降りを容易に行うことができる。また、乳幼児５の臀部および背部を包み込んで面で支持することできる。
【００８０】
なお、この第４の変形例において、図示された具体例に限られず、第１群の受け具９２および第２群の受け具９３のいずれか一方を省略してもよい。また、受け具９１として、フック以外の種々の既知の部材を用いるようにしてもよいし、受け具９２，９３として、掛け紐以外の種々の既知の部材を用いるようにしてもよい。
【図面の簡単な説明】
【００８１】
【図１】図１は、本発明による一実施の形態における子守帯を、使用者に装着された状態において、示す斜視図である。
【図２】図２は、図１に示された子守帯の斜視図である。
【図３】図３は、図１に示された子守帯を、平面上に広げられた状態において、示す正面図である。
【図４】図４は、図１に示された子守帯を、平面上に広げられた状態において、示す側面図である。
【図５】図５は、図１に示された子守帯を、保持部材が広げられた状態において、裏側から示す図である。
【図６】図６は、図１に示された子守帯を、子守帯本体が開かれた状態において、上方から示す斜視図である。
【図７】図７は、図５のＶＩＩ−ＶＩＩ線に沿った子守帯の支持部の断面と、支持部の各領域に配置された布の糸の延びる方向と、を示す図である。
【図８】図８は、織物からなる布の伸縮性について説明するための図である。
【図９】図９は、図３に対応する図であって、調整機構の第１の変形例を示す図である。
【図１０】図１０は、図３に対応する図であって、調整機構の第２の変形例を示す図である。
【図１１】図１１は、図３に対応する図であって、調整機構の第２の変形例を示す図である。
【図１２】図１２は、図３に対応する図であって、調整機構の第３の変形例を示す図である。
【図１３】図１３は、図３に対応する図であって、調整機構の第４の変形例を示す図である。
【符号の説明】
【００８２】
１０  子守帯
２０  子守帯本体
２０ａ，２０ｂ  縁部
２１  支持部
２１ａ  一側領域
２１ｂ  他側領域
２２  保持部
２３ａ，２３ｂ  連結部
３０  シート状材料
５０  調整機構
５１  第１群の掛け具
５２  第２群の掛け具
５３  紐
６０  調整機構
６１  紐状部材
７０  調整機構
７１  第１係合具
７２  第２係合具
７３  留具
８０  調整機構
８１  第１係合具
８２  第２係合具
９０  調整機構
９１  係合具
９２  受け具（第１群の受け具）
９３  受け具（第２群の受け具）
【図１】
2008220667.tif 000003
【図２】
2008220667.tif 000004
【図３】
2008220667.tif 000005
【図４】
2008220667.tif 000006
【図５】
2008220667.tif 000007
【図６】
2008220667.tif 000008
【図７】
2008220667.tif 000009
【図８】
2008220667.tif 000010
【図９】
2008220667.tif 000011
【図１０】
2008220667.tif 000012
【図１１】
2008220667.tif 000013
【図１２】
2008220667.tif 000014
【図１３】
2008220667.tif 000015